(57)【要約】      （修正有）【課題】肩こりや肩痛のもたらす日常の苦痛から解放される、仕事や活動に制約の少ない人体の業務用健康補助器具補助具を提供する。【解決手段】ゴムバンド２の伸縮性と軽便さを活用し、更に「送りかん」を用いて伸縮自在として吊度合の強弱を調整し、腕吊りバンドの付け替えによる片腕吊用、両腕吊用の両用を可能にし更に固定腕吊りのための、腕吊り固定帯を付け替え可能にし、ポリエステルやレーヨンの糸で天然ゴムを用いて編み上げた、ゴムバンド２を主機として、輪状に首掛けを作り、腕を輪内に差し込んで腕を吊る構成とした。【選択図】図１
2014094260.tif 000002
【特許請求の範囲】
【請求項１】
ゴムバンドの伸縮性と軽便さを活用し、更に「送り▲かん▼」を用いて伸縮自在として吊度合の強弱を調整し、腕吊りバンドの付け替えによる片腕吊用、両腕吊用の両用を可能にし更に固定腕吊りのための、腕吊り固定帯を付け替え可能にした「腕吊り補助バンド」
【請求項２】
作業の手に係る負荷は腕に伝わり、その腕が「腕吊り補助バンド」の支えで梃子となり、肘を持ち上げ気味になることが常態と異なり、又、「腕吊り補助バンド」の首当てとなる伸縮部バンドの、首から肩への荷重部は、バンドを巾広に用いて肩痛部、肩こり部の負荷を軽減して、常態と異なる荷重の流れを作り、肩痛や肩こりを感じない状態を作る、健康補助具の「腕吊り補助バンド」。
【発明の詳細な説明】
【技術分野】
【０００１】本発明は、人体の業務用健康補助器具に関する。
【背景技術】
【０００２】かなり古くから治療用に三角巾が用いられている。
【発明が解決しようとする課題】
【０００３】肩こりや肩痛で悩む人が多い。職業的であったり、事故による後遺症であったり、原因は様々であり、マッサージ器や薬漬けの状態でも仕事を続けなければならない辛さは察するに余りある。治療は治療で当然ながら、治療しながら同じ仕事を続けなけばならないことが苦痛である。医療器具を使用する迄もない肩こりや肩痛には、仕事や活動に制約の少ない補助具があれば日常の苦痛から解放される。
【課題を解決するための手段】
【０００４】本発明の「腕吊り補助バンド」はポリエステルやレーヨンの糸と天然ゴムを用いて編み上げたゴムバンド（２）を主機として、そのゴムバンド長、短２本を用いる。短い方は左肩口から屈折して吊り上げる腕を巻いて、右肩口迄の長さの物と、長い方は短い方にプラスして伸縮装置分を足した長さの物で、その両バンドの先端部には送り▲かん▼（１）（１−Ａ）をそれぞれ取り付ける。その送り▲かん▼の左、右２ッ窓の左枠軸にそれぞれの両ゴムバンドの先端を巻き込み、送り▲かん▼が自在に動く余裕を残して、若干の縫代を取り各組ごと縫い付ける。
その縫い付け送り▲かん▼を取り付けた２本のゴムバンドの内長い方のゴムバンドの先端部を左のゴムバンドに取り付けた送り▲かん▼の右枠軸の下より挿入し、更にそのバンドで送り▲かん▼の中軸を上から下へと巻き込んで持ち帰る。更に持ち帰った長い方のゴムバンドの先端部は次に、自らの長いバンドに縫取り付けてある送り▲かん▼の中軸に、その送り▲かん▼を縫い付けてある下を通して送り▲かん▼左輪より挿入させ中軸を巻き越えて送り▲かん▼右軸下へと送り込んで外へ出す。送り▲かん▼より垂れ下がる左、右両ゴムバンドを引くことで縮み送り▲かん▼を持って左、右に引くことで伸びる伸縮装置の最大伸縮巾を決める為の止め具は伸縮を繰り返す度に送り▲かん▼に入出を繰り返す右側のゴムバンドの左側ゴムバンド送り▲かん▼接続部と同等距離部に同じゴムバンドによる縫合で盛り上げストッパー（７）として送り▲かん▼を捉える。
【０００５】伸縮装置としての左、右両送り▲かん▼より伸びるゴムバンドは左右両バンド共腕吊り部で、左の送り▲かん▼の左輪軸を巻いて縫い止めした、その直近部に腕吊り輪を作るための止め具スナップ凹（３−Ｂ）をゴムバンド外側に取り付け、そのバンドの先端部外側には止め具スナップ凸（３）を取り付ける。更に右側ゴムバンドのストッパー縫合部直近内側には止め具スナップ凹（４−Ｂ）を取り付け、そのゴムバンド先端部内側には同じく止め具スナップ凸（４）を取り付ける。
腕吊部ゴムバンド左右４隅に取り付けた止め具スナップはそれぞれの嵌め方により使用方が異なり片腕吊として用いる時は左ゴムバンドの先端に取り付けた止め具スナップ凸を右側ゴムバンドのストッパー縫合部直近内側に取り付けた止め具スナップ凹に挿入し、又、右側ゴムバンドの先端内側に取り付けた止め具スナップ凸を左側ゴムバンド送り▲かん▼取り付け部直近外側に取り付けた止め具スナップ凹に挿入することで、左、右ゴムバンド二重にかさなり、その吊度合が強まる分、伸縮装置で調正し、又二重のゴムバンドがズレないように、腕輪止め具（５）（５−Ａ）（６）（６−Ａ）の止め具で防止できることになる。更に活動時に腕吊ゴムバンドがズレる防止具として小▲かん▼（８）を用いる。
【０００６】更に腕吊部ゴムバンド左、右４隅に取り付けた止め具スナップを左側ゴムバンド先端に取り付けた止め具スナップ（３）を、そのゴムバンド送り▲かん▼取り付け部直近に取り付けた止め具スナップ（３−Ｂ）に挿入し、又、右側ゴムバンドの先端部に取り付けた止め具スナップ（４）を、そのゴムバンドのストッパー縫合部直近内側に取り付けた止め具スナップ（４Ｂ）に挿入することによって左、右に腕輪が２輪ができ、それ等は左、右両腕吊輪として使用可能にしたもので、吊度合は伸縮装置で調整し活動中のゴムバンドのズレ防止のために左、右両ゴムバンド中央部内側に腕輪作りの止め具スナップ（６）（６−Ａ）を左用ゴムバンドズレ防止具として、又同じく右側ゴムバンドの腕輪中央部内側に止め具スナップ（５）（５−Ａ）を取り付けた。更に使用目的が腕の固定吊りで使用したい場合は、固定吊りのための腕吊り固定帯（９）を用いる。その腕吊り固定帯は布制で厚手の布地を仕上げたもの（メッシュ状でも可）に付け替えが可能であり、吊度合は調整装置で行う。その調整装置に設置された左、右両送り▲かん▼の繰窓に腕吊り固定帯掛具（９−Ａ）を掛け、吊度合を調整し、腕を通して使用する間、腕吊りバンドは胸ポケットに収納される。
【発明の効果】
【０００７】軽便で装着感が良く、あまり負坦に感じない。使い慣れみると痛みを忘れていて、使用しない時は腕吊りバンド部を胸ポケットに入れ、痛みを感じ、使用したい時には数秒で装着できる。治療は治療で薬は薬で進めながら、それでも仕事を続けなければならない時の助けとなる。
【図面の簡単な説明】
【０００８】
【図１】全体の斜視図。
【図２】小▲かん▼の正面図。
【図３】腕吊固定具の斜視図。本発明の「腕吊り補助バンド」は肩こりや肩痛で休職して迄の治療等を要しない。作業、活動用に使用できるものとして考案されたもので、先ず充分に伸縮するゴムバンドを活用し、腕の活動範囲をできるだけ広く動かせることを前提として、又手、腕を動かすことで腕輪が外れないようにし、腕を持ち上げての連続動作や両手に荷を下げての連続行動や様々な負荷の係り方に連日続けなければならない肩こりや肩痛に腕吊り補助バンドが腕を柔らかに持ち上げる働きをなし、手に係る負荷を支えることが肘を持ち上げる働きとなり、肩に楽を少しでも与え、筋力等への働き方に変化をもたらし、装着することで楽になる。更に固定吊りのための腕吊り固定帯は付け替である。
【符号の説明】
【０００９】（１）送り▲かん▼  伸縮装置を構成する。
（１−Ａ）  送り▲かん▼  （１）と同じく２ヶで伸縮装置を構成する。
（２）  ゴムバンド  主機であり、伸縮装置から腕吊輪迄全体を構成。
（３）  止め具スナップ（凸）  送り▲かん▼より伸びるバンド先端に設置した止め具。
（３−Ｂ）  止め具スナップ（凹）  送り▲かん▼直近に設けたバンド先端部止め具を受ける。
（４）  止め具スナップ（凸）  送り▲かん▼（１−Ａ）より伸びるバンド先端に設置した止め具。
（４−Ｂ）  止め具スナップ（凹）  送り▲かん▼ストッパー直近に設置（４）の止め具を受ける。
（７）  ストッパー  伸縮装置の送り▲かん▼を（１）を受けて伸縮を終了させる。
（５）  腕輪止め具スナップ（凸）  両腕吊用腕輪作り止め具（右用）
（５−Ａ）  腕輪止め具スナップ（凹）  両腕吊用腕輪作り止め具（５）を受ける止め具（右用）
（６）  腕輪止め具スナップ（凸）  両腕吊用腕輪作り止め具（左用）
（６−Ａ）  腕輪止め具スナップ（凹）  両腕吊用腕輪作り止め具（６）を受ける止め具（左用）
（８）  バンドズレ止め具  小▲かん▼  片腕用バンドズレ止め具。
（９）  腕吊り固定帯  腕吊り固定のための吊り帯。
（９−Ａ）  腕吊り固定帯掛具  腕吊り固定帯を送り▲かん▼に掛けるための掛具。
【発明を実施するための形態】
【００１０】本発明の「腕吊り補助バンド」は医療器具ではなく治療や薬とは別に日常に起こる肩こりや肩痛等の補助具であり、職業上手先仕事や肩こりになりやすい体型の人等に、又、事故等で肩や腕の治療を終えた人等の防備等に適しており、携帯していてもよい。又、骨折等腕吊にも使用できる。
【実施例】
【００１１】本発明の考案者は交通事故により肩を損傷し治療中でありながら仕事に従事しなければならない状況の中で考案されたもので、診療の医師（大学病院）に相談をし「車の運転中は外すように」とのことで了解をいただいて使用して３ヶ月間は痛みを感じる度に胸ポケットより取り出して使用し、痛みを忘れた頃に腕からはずして胸ポケットにしまい込む毎日でしたが治療の効果も有って現在はバッグの中に持ち歩く日々である。
【図１】
2014094260.tif 000003
【図２】
2014094260.tif 000004
【図３】
2014094260.tif 000005